【手続補正書】
【提出日】平成17年9月14日(2005.9.14)
【手続補正１】
【補正対象書類名】特許請求の範囲
【補正対象項目名】全文
【補正方法】変更
【補正の内容】
【特許請求の範囲】
【請求項１】
宅配業者が携帯する携帯用カード読取機と情報処理センタに設けられたホストコンピュータとが無線通信回線を介して接続され、前記ホストコンピュータと消費者のために決済する決済サーバと宅配業者のために決済する決済サーバと宅配業者に設けられた宅配管理サーバとが通信回線を介して接続され、前記携帯用カード読取機で宅配先において収集されたカード情報と商品金額とが前記ホストコンピュータを介して前記消費者のために決済する決済サーバに送信されることで、宅配業者が消費者に宅配した商品について宅配先において消費者が所有する決済カードにより決済する決済システムであって、
前記宅配管理サーバは、
データベースを備え、
前記携帯用カード読取機で宅配先において収集した少なくとも宅配に関する問い合わせ番号とこの問い合わせ番号に対応する商品金額とを前記ホストコンピュータを介して受信する手段と、
この受信した問い合わせ番号とこの問い合わせ番号に対応する商品金額とを前記データベースに記憶する手段と、
前記消費者のために決済する決済サーバから前記宅配業者のために決済する決済サーバの口座に入金があったことおよび入金額を示す口座情報を前記宅配業者のために決済する決済サーバから受信する手段と、
この受信した口座情報を前記データベースに記憶されている前記問い合わせ番号に対応させて前記商品金額とともに前記データベースに記憶する手段と、
前記データベースに記憶された問い合わせ番号に対応する口座情報から前記商品金額に相当する入金があったか否かを調べる手段と、
この相当する入金があった場合に、前記入金額から宅配手数料を差し引いた商品販売者への払込金額を求める手段と、
この払込金額を商品販売者のために決済する決済サーバに払い込むための払込情報を宅配業者のために決済する決済サーバへ送信する手段と、を有することを特徴とする宅配便のカード決済システム。
【請求項２】
宅配業者が携帯する携帯用カード読取機と情報処理センタに設けられたホストコンピュータとが無線通信回線を介して接続され、前記ホストコンピュータと消費者のために決済する決済サーバと宅配業者のために決済する決済サーバと宅配業者に設けられた宅配管理サーバとが通信回線を介して接続され、宅配業者が消費者に宅配した商品について宅配先において消費者が所有する決済カードにより決済する決済システムであって、
前記ホストコンピュータは、
第１のデータベースを備え、
前記携帯用カード読取機で宅配先において収集した少なくともカード情報と宅配に関する問い合わせ番号とこの問い合わせ番号に対応する商品金額とを受信する手段と、
この受信した問い合わせ番号とこの問い合わせ番号に対応するカード情報と商品金額とを前記第１のデータベースに記憶する手段と、
このカード情報と商品金額とを前記消費者のために決済する決済サーバに送信する手段と、
前記消費者のために決済する決済サーバから信用照会結果を受信する手段と、
前記消費者のために決済する決済サーバから信用照会結果を受信した場合に、前記第１のデータベースからカード情報に含まれる認証番号を削除する手段と、
前記第１のデータベースから少なくとも問い合わせ番号とこの問い合わせ番号に対応する商品金額とを読み出して前記宅配管理サーバに送信する手段と、を有し、
前記宅配管理サーバは、
第２のデータベースを備え、
前記携帯用カード読取機で宅配先において収集した前記問い合わせ番号とこの問い合わせ番号に対応する商品金額とを前記ホストコンピュータを介して受信する手段と、
この受信した問い合わせ番号とこの問い合わせ番号に対応する商品金額とを前記第２のデータベースに記憶する手段と、
前記消費者のために決済する決済サーバから前記宅配業者のために決済する決済サーバの口座に入金があったことおよび入金額を示す口座情報を前記宅配業者のために決済する決済サーバから受信する手段と、
この受信した口座情報を前記第２のデータベースに記憶されている前記問い合わせ番号に対応させて前記商品金額とともに前記第２のデータベースに記憶する手段と、
前記第２のデータベースに記憶された問い合わせ番号に対応する口座情報から前記商品金額に相当する入金があったか否かを調べる手段と、
この相当する入金があった場合に、前記入金額から宅配手数料を差し引いた商品販売者への払込金額を求める手段と、
この払込金額を商品販売者のために決済する決済サーバに払い込むための払込情報を宅配業者のために決済する決済サーバへ送信する手段と、を有することを特徴とする宅配便のカード決済システム。
【請求項３】
前記決済カードは、
クレジット会社により発行されたクレジットカード、または、金融機関により発行されたデビットカードであることを特徴とする請求項１又は２項に記載の宅配便のカード決済システム。
【請求項４】
宅配業者が携帯する携帯用カード読取機と情報処理センタに設けられたホストコンピュータとが無線通信回線を介して接続され、前記ホストコンピュータと消費者のために決済する決済サーバと宅配業者のために決済する決済サーバと宅配業者に設けられた宅配管理サーバとが通信回線を介して接続され、前記携帯用カード読取機で宅配先において収集されたカード情報と商品金額とが前記ホストコンピュータを介して前記消費者のために決済する決済サーバに送信されることで、宅配業者が消費者に宅配した商品について宅配先において消費者が所有する決済カードにより決済する決済方法であって、
前記宅配管理サーバは、
前記携帯用カード読取機で宅配先において収集した少なくとも宅配に関する問い合わせ番号とこの問い合わせ番号に対応する商品金額とを前記ホストコンピュータを介して受信するステップと、
この受信した問い合わせ番号とこの問い合わせ番号に対応する商品金額とをデータベースに記憶するステップと、
前記消費者のために決済する決済サーバから前記宅配業者のために決済する決済サーバの口座に入金があったことおよび入金額を示す口座情報を前記宅配業者のために決済する決済サーバから受信するステップと、
この受信した口座情報を前記データベースに記憶されている前記問い合わせ番号に対応させて前記商品金額とともに前記データベースに記憶するステップと、
前記データベースに記憶された問い合わせ番号に対応する口座情報から前記商品金額に相当する入金があったか否かを調べるステップと、
この相当する入金があった場合に、前記入金額から宅配手数料を差し引いた商品販売者への払込金額を求めるステップと、
この払込金額を商品販売者のために決済する決済サーバに払い込むための払込情報を宅配業者のために決済する決済サーバへ送信するステップと、を有することを特徴とする宅配便のカード決済方法。
【請求項５】
宅配業者が携帯する携帯用カード読取機と情報処理センタに設けられたホストコンピュータとが無線通信回線を介して接続され、前記ホストコンピュータと消費者のために決済する決済サーバと宅配業者のために決済する決済サーバと宅配業者に設けられた宅配管理サーバとが通信回線を介して接続され、宅配業者が消費者に宅配した商品について宅配先において消費者が所有する決済カードにより決済する決済方法であって、
前記ホストコンピュータは、
前記携帯用カード読取機で宅配先において収集した少なくともカード情報と宅配に関する問い合わせ番号とこの問い合わせ番号に対応する商品金額とを受信するステップと、
この受信した問い合わせ番号とこの問い合わせ番号に対応するカード情報と商品金額とを第１のデータベースに記憶するステップと、
このカード情報と商品金額とを前記消費者のために決済する決済サーバに送信するステップと、
前記消費者のために決済する決済サーバから信用照会結果を受信するステップと、
前記消費者のために決済する決済サーバから信用照会結果を受信した場合に、前記第１のデータベースからカード情報に含まれる認証番号を削除するステップと、
前記第１のデータベースから少なくとも問い合わせ番号とこの問い合わせ番号に対応する商品金額とを読み出して前記宅配管理サーバに送信するステップと、を有し、
前記宅配管理サーバは、
前記携帯用カード読取機で宅配先において収集した前記問い合わせ番号とこの問い合わせ番号に対応する商品金額とを前記ホストコンピュータを介して受信するステップと、
この受信した問い合わせ番号とこの問い合わせ番号に対応する商品金額とを第２のデータベースに記憶するステップと、
前記消費者のために決済する決済サーバから前記宅配業者のために決済する決済サーバの口座に入金があったことおよび入金額を示す口座情報を前記宅配業者のために決済する決済サーバから受信するステップと、
この受信した口座情報を前記第２のデータベースに記憶されている前記問い合わせ番号に対応させて前記商品金額とともに前記第２のデータベースに記憶するステップと、
前記第２のデータベースに記憶された問い合わせ番号に対応する口座情報から前記商品金額に相当する入金があったか否かを調べるステップと、
この相当する入金があった場合に、前記入金額から宅配手数料を差し引いた商品販売者への払込金額を求めるステップと、
この払込金額を商品販売者のために決済する決済サーバに払い込むための払込情報を宅配業者のために決済する決済サーバへ送信するステップと、を有することを特徴とする宅配便のカード決済方法。
【請求項６】
前記決済カードは、
クレジット会社により発行されたクレジットカード、または、金融機関により発行されたデビットカードであることを特徴とする請求４又は５項に記載の宅配便のカード決済方法。
【手続補正２】
【補正対象書類名】明細書
【補正対象項目名】０００９
【補正方法】変更
【補正の内容】
【０００９】
本発明は、宅配業者が携帯する携帯用カード読取機と情報処理センタに設けられたホストコンピュータとが無線通信回線を介して接続され、前記ホストコンピュータと消費者のために決済する決済サーバと宅配業者のために決済する決済サーバと宅配業者に設けられた宅配管理サーバとが通信回線を介して接続され、前記携帯用カード読取機で宅配先において収集されたカード情報と商品金額とが前記ホストコンピュータを介して前記消費者のために決済する決済サーバに送信されることで、宅配業者が消費者に宅配した商品について宅配先において消費者が所有する決済カードにより決済する決済システムであって、前記宅配管理サーバは、データベースを備え、前記携帯用カード読取機で宅配先において収集した少なくとも宅配に関する問い合わせ番号とこの問い合わせ番号に対応する商品金額とを前記ホストコンピュータを介して受信する手段と、この受信した問い合わせ番号とこの問い合わせ番号に対応する商品金額とを前記データベースに記憶する手段と、前記消費者のために決済する決済サーバから前記宅配業者のために決済する決済サーバの口座に入金があったことおよび入金額を示す口座情報を前記宅配業者のために決済する決済サーバから受信する手段と、この受信した口座情報を前記データベースに記憶されている前記問い合わせ番号に対応させて前記商品金額とともに前記データベースに記憶する手段と、前記データベースに記憶された問い合わせ番号に対応する口座情報から前記商品金額に相当する入金があったか否かを調べる手段と、この相当する入金があった場合に、前記入金額から宅配手数料を差し引いた商品販売者への払込金額を求める手段と、この払込金額を商品販売者のために決済する決済サーバに払い込むための払込情報を宅配業者のために決済する決済サーバへ送信する手段と、を有することを特徴とする宅配便のカード決済システム。
【手続補正３】
【補正対象書類名】明細書
【補正対象項目名】００１０
【補正方法】変更
【補正の内容】
【００１０】
また、宅配業者が携帯する携帯用カード読取機と情報処理センタに設けられたホストコンピュータとが無線通信回線を介して接続され、前記ホストコンピュータと消費者のために決済する決済サーバと宅配業者のために決済する決済サーバと宅配業者に設けられた宅配管理サーバとが通信回線を介して接続され、宅配業者が消費者に宅配した商品について宅配先において消費者が所有する決済カードにより決済する決済システムであって、前記ホストコンピュータは、第１のデータベースを備え、前記携帯用カード読取機で宅配先において収集した少なくともカード情報と宅配に関する問い合わせ番号とこの問い合わせ番号に対応する商品金額とを受信する手段と、この受信した問い合わせ番号とこの問い合わせ番号に対応するカード情報と商品金額とを前記第１のデータベースに記憶する手段と、このカード情報と商品金額とを前記消費者のために決済する決済サーバに送信する手段と、前記消費者のために決済する決済サーバから信用照会結果を受信する手段と、前記消費者のために決済する決済サーバから信用照会結果を受信した場合に、前記第１のデータベースからカード情報に含まれる認証番号を削除する手段と、前記第１のデータベースから少なくとも問い合わせ番号とこの問い合わせ番号に対応する商品金額とを読み出して前記宅配管理サーバに送信する手段と、を有し、前記宅配管理サーバは、第２のデータベースを備え、前記携帯用カード読取機で宅配先において収集した前記問い合わせ番号とこの問い合わせ番号に対応する商品金額とを前記ホストコンピュータを介して受信する手段と、この受信した問い合わせ番号とこの問い合わせ番号に対応する商品金額とを前記第２のデータベースに記憶する手段と、前記消費者のために決済する決済サーバから前記宅配業者のために決済する決済サーバの口座に入金があったことおよび入金額を示す口座情報を前記宅配業者のために決済する決済サーバから受信する手段と、この受信した口座情報を前記第２のデータベースに記憶されている前記問い合わせ番号に対応させて前記商品金額とともに前記第２のデータベースに記憶する手段と、前記第２のデータベースに記憶された問い合わせ番号に対応する口座情報から前記商品金額に相当する入金があったか否かを調べる手段と、この相当する入金があった場合に、前記入金額から宅配手数料を差し引いた商品販売者への払込金額を求める手段と、この払込金額を商品販売者のために決済する決済サーバに払い込むための払込情報を宅配業者のために決済する決済サーバへ送信する手段と、を有することを要旨とする。
【手続補正４】
【補正対象書類名】明細書
【補正対象項目名】００１１
【補正方法】変更
【補正の内容】
【００１１】
また、前記決済カードは、クレジット会社により発行されたクレジットカード、または、金融機関により発行されたデビットカードであることを要旨とする。
【手続補正５】
【補正対象書類名】明細書
【補正対象項目名】００１２
【補正方法】変更
【補正の内容】
【００１２】
また、宅配業者が携帯する携帯用カード読取機と情報処理センタに設けられたホストコンピュータとが無線通信回線を介して接続され、前記ホストコンピュータと消費者のために決済する決済サーバと宅配業者のために決済する決済サーバと宅配業者に設けられた宅配管理サーバとが通信回線を介して接続され、前記携帯用カード読取機で宅配先において収集されたカード情報と商品金額とが前記ホストコンピュータを介して前記消費者のために決済する決済サーバに送信されることで、宅配業者が消費者に宅配した商品について宅配先において消費者が所有する決済カードにより決済する決済方法であって、前記宅配管理サーバは、前記携帯用カード読取機で宅配先において収集した少なくとも宅配に関する問い合わせ番号とこの問い合わせ番号に対応する商品金額とを前記ホストコンピュータを介して受信するステップと、この受信した問い合わせ番号とこの問い合わせ番号に対応する商品金額とをデータベースに記憶するステップと、前記消費者のために決済する決済サーバから前記宅配業者のために決済する決済サーバの口座に入金があったことおよび入金額を示す口座情報を前記宅配業者のために決済する決済サーバから受信するステップと、この受信した口座情報を前記データベースに記憶されている前記問い合わせ番号に対応させて前記商品金額とともに前記データベースに記憶するステップと、前記データベースに記憶された問い合わせ番号に対応する口座情報から前記商品金額に相当する入金があったか否かを調べるステップと、この相当する入金があった場合に、前記入金額から宅配手数料を差し引いた商品販売者への払込金額を求めるステップと、この払込金額を商品販売者のために決済する決済サーバに払い込むための払込情報を宅配業者のために決済する決済サーバへ送信するステップと、を有することを要旨とする。
【手続補正６】
【補正対象書類名】明細書
【補正対象項目名】００１３
【補正方法】変更
【補正の内容】
【００１３】
また、宅配業者が携帯する携帯用カード読取機と情報処理センタに設けられたホストコンピュータとが無線通信回線を介して接続され、前記ホストコンピュータと消費者のために決済する決済サーバと宅配業者のために決済する決済サーバと宅配業者に設けられた宅配管理サーバとが通信回線を介して接続され、宅配業者が消費者に宅配した商品について宅配先において消費者が所有する決済カードにより決済する決済方法であって、前記ホストコンピュータは、前記携帯用カード読取機で宅配先において収集した少なくともカード情報と宅配に関する問い合わせ番号とこの問い合わせ番号に対応する商品金額とを受信するステップと、この受信した問い合わせ番号とこの問い合わせ番号に対応するカード情報と商品金額とを第１のデータベースに記憶するステップと、このカード情報と商品金額とを前記消費者のために決済する決済サーバに送信するステップと、前記消費者のために決済する決済サーバから信用照会結果を受信するステップと、前記消費者のために決済する決済サーバから信用照会結果を受信した場合に、前記第１のデータベースからカード情報に含まれる認証番号を削除するステップと、前記第１のデータベースから少なくとも問い合わせ番号とこの問い合わせ番号に対応する商品金額とを読み出して前記宅配管理サーバに送信するステップと、を有し、前記宅配管理サーバは、前記携帯用カード読取機で宅配先において収集した前記問い合わせ番号とこの問い合わせ番号に対応する商品金額とを前記ホストコンピュータを介して受信するステップと、この受信した問い合わせ番号とこの問い合わせ番号に対応する商品金額とを第２のデータベースに記憶するステップと、前記消費者のために決済する決済サーバから前記宅配業者のために決済する決済サーバの口座に入金があったことおよび入金額を示す口座情報を前記宅配業者のために決済する決済サーバから受信するステップと、この受信した口座情報を前記第２のデータベースに記憶されている前記問い合わせ番号に対応させて前記商品金額とともに前記第２のデータベースに記憶するステップと、前記第２のデータベースに記憶された問い合わせ番号に対応する口座情報から前記商品金額に相当する入金があったか否かを調べるステップと、この相当する入金があった場合に、前記入金額から宅配手数料を差し引いた商品販売者への払込金額を求めるステップと、この払込金額を商品販売者のために決済する決済サーバに払い込むための払込情報を宅配業者のために決済する決済サーバへ送信するステップと、を有することを要旨とする。
【手続補正７】
【補正対象書類名】明細書
【補正対象項目名】００１４
【補正方法】変更
【補正の内容】
【００１４】
また、前記決済カードは、クレジット会社により発行されたクレジットカード、または、金融機関により発行されたデビットカードであることを要旨とする。
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】変更
【補正の内容】
【００１６】
本発明によれば、宅配業者が消費者に宅配した商品について宅配先において、携帯用カード読取機で収集されたカード情報と商品金額とがホストコンピュータを介して消費者のために決済する決済サーバに送信され、また、このとき収集された問い合わせ番号とこの問い合わせ番号に対応する商品金額とがホストコンピュータを介して宅配管理サーバに送信された際に、宅配管理サーバは、ホストコンピュータから受信した問い合わせ番号とこの問い合わせ番号に対応する商品金額とともに、宅配業者のために決済する決済サーバから受信した口座情報とをこの問い合わせ番号に対応させてデータベースに記憶しておき、データベースに記憶された問い合わせ番号に対応する口座情報から商品金額に相当する入金があった場合に、入金額から宅配手数料を差し引いた払込金額を求め、この払込金額を商品販売者のために決済する決済サーバに払い込むための払込情報を宅配業者のために決済する決済サーバへ送信することで、消費者はカードを使用して商品金額に相当する金額を商品販売者のために決済する決済サーバに払い込み決済することができる。
【手続補正１０】
【補正対象書類名】明細書
【補正対象項目名】００１８
【補正方法】変更
【補正の内容】
【００１８】
本発明によれば、宅配業者が消費者に宅配した商品について宅配先において、携帯用カード読取機で収集された問い合わせ番号とこの問い合わせ番号に対応する商品金額とカード情報とがホストコンピュータに送信された際に、ホストコンピュータは、携帯用カード読取機から受信した問い合わせ番号とこの問い合わせ番号に対応する商品金額とカード情報とを第１のデータベースに記憶しておき、このカード情報と商品金額とを消費者のために決済する決済サーバに送信して信用照会結果を受信した場合に、第１のデータベースからカード情報に含まれる認証番号を削除し、第１のデータベースから少なくとも問い合わせ番号とこの問い合わせ番号に対応する商品金額とを読み出して宅配管理サーバに送信し、宅配管理サーバは、ホストコンピュータから受信した問い合わせ番号とこの問い合わせ番号に対応する商品金額とともに、宅配業者のために決済する決済サーバから受信した口座情報とをこの問い合わせ番号に対応させて第２のデータベースに記憶しておき、第２のデータベースに記憶された問い合わせ番号に対応する口座情報から商品金額に相当する入金があった場合に、入金額から宅配手数料を差し引いた払込金額を求め、この払込金額を商品販売者のために決済する決済サーバに払い込むための払込情報を宅配業者のために決済する決済サーバへ送信することで、消費者はカードを使用して商品金額に相当する金額を商品販売者のために決済する決済サーバに払い込み決済することができる。また、ホストコンピュータでは消費者のカード情報に含まれる認証番号を削除するので個人情報の漏洩を防止することができる。
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】変更
【補正の内容】
【００２０】
また、宅配業者のために決済する決済サーバは、商品販売者のために決済する決済サーバに消費者のために決済する決済サーバから振り込まれた金額から宅配に関する手数料を差し引いた金額を振り込むことで、宅配業者のために決済する決済サーバは、宅配に関する手数料を決済して売り上げることができる。
【手続補正１３】
【補正対象書類名】明細書
【補正対象項目名】００２１
【補正方法】削除
【補正の内容】
【手続補正１４】
【補正対象書類名】明細書
【補正対象項目名】００２２
【補正方法】削除
【補正の内容】
【手続補正１５】
【補正対象書類名】明細書
【補正対象項目名】００２５
【補正方法】削除
【補正の内容】